(57)【特許請求の範囲】
【請求項１】
ＡＴＭ網においてＩＰ通信を行なう方法であって、
あるＩＰ通信の要求に対し、該ＩＰ通信の発アドレス若しくは着アドレス又はその両方が所定の値と一致するか否かを調べるステップと、
前記ＩＰ通信の発アドレス若しくは着アドレス又はその両方が前記所定の値と一致する場合にショートカットパスによる通信を行なうステップと、
を有することを特徴とする方法。
【請求項２】
ＡＴＭ網においてＩＰ通信を行なう方法であって、
あるＩＰ通信の要求に対し、該ＩＰ通信のための既設のショートカットパスの有無を調べるステップと、
既設のショートカットパスが無い場合、該ＩＰ通信の発アドレス若しくは着アドレス又はその両方が所定の値と一致する場合にショートカットパスを設定するステップと
を有することを特徴とする方法。
【請求項３】
ＡＴＭ網においてＩＰ通信を行なう方法であって、
あるＩＰ通信の要求に対し、該ＩＰ通信の発アドレス若しくは着アドレス又はその両方が所定の値と一致するか否かを調べるステップと、
前記ＩＰ通信の発アドレス若しくは着アドレス又はその両方が前記所定の値と一致する場合に該ＩＰ通信のための既設のショートカットパスの有無を調べるステップと、
既設のショートカットパスが無い場合にショートカットパスを設定するステップとを有することを特徴とする方法。
【請求項４】
前記所定の値はテーブルに格納された値である請求項１ないし３のうちいずれか一項に記載の方法。
【請求項５】
ＡＴＭ網においてショートカットパスによるＩＰ通信を行なうことが可能なＡＴＭ通信装置であって、
あるＩＰ通信の要求に対し、該ＩＰ通信の発アドレス若しくは着アドレス又はその両方が所定の値と一致するか否かを調べる手段と、
前記ＩＰ通信の発アドレス若しくは着アドレス又はその両方が前記所定の値と一致する場合にショートカットパスによる通信を行なう手段とを有することを特徴とするＡＴＭ通信装置。
【請求項６】
ＡＴＭ網においてショートカットパスによるＩＰ通信を行なうことが可能なＡＴＭ通信装置であって、
ショートカットパスを設定すべき通信を示す値を保持するテーブルと、
あるＩＰ通信の要求に対して該ＩＰ通信の発アドレス若しくは着アドレス又はその両方が該テーブルに保持された値と一致するか否かを調べる手段と、
一致する場合にショートカットパスによる通信を行なう手段と
を有することを特徴とするＡＴＭ通信装置。
【請求項７】
前記ＡＴＭ通信装置は、前記テーブルに保持された前記値の操作を受けるためのインタフェースを有することを特徴とする請求項６に記載のＡＴＭ通信装置。
【請求項８】
前記ＡＴＭ通信装置はＡＴＭ交換機であることを特徴とする請求項５ないし７のうちいずれか一項に記載のＡＴＭ通信装置。
【請求項９】
ＡＴＭ網においてショートカットパスによるＩＰ通信を行なうことが可能なＡＴＭ通信装置を制御するプログラムを記録した記録媒体であって、
あるＩＰ通信の要求に対し、該ＩＰ通信の発アドレス若しくは着アドレス又はその両方が所定の値と一致するか否かを調べる手順と、
前記ＩＰ通信の発アドレス若しくは着アドレス又はその両方が前記所定の値と一致する場合にショートカットパスによる通信を行なう手順と
を前記ＡＴＭ通信装置に実行させることを特徴とするプログラムを記録した記録媒体。
【請求項１０】
ＡＴＭ網においてショートカットパスによるＩＰ通信を行なうことが可能なＡＴＭ通信装置を制御するプログラムを記録した記録媒体であって、
あるＩＰ通信の要求に対して該ＩＰ通信のための既設のショートカットパスの有無を調べる手順と、
既設のショートカットパスが無い場合、該ＩＰ通信の発アドレス若しくは着アドレス又はその両方が所定の値と一致する場合にショートカットパスを設定する手順と
を前記ＡＴＭ通信装置に実行させることを特徴とするプログラムを記録した記録媒体。
【請求項１１】
ＡＴＭ網においてショートカットパスによるＩＰ通信を行なうことが可能なＡＴＭ通信装置を制御するプログラムを記録した記録媒体であって、
あるＩＰ通信の要求に対して該ＩＰ通信の発アドレス若しくは着アドレス又はその両方が所定の値と一致するか否かを調べる手順と、
前記ＩＰ通信の発アドレス若しくは着アドレス又はその両方が前記所定の値と一致する場合に該ＩＰ通信のための既設のショートカットパスの有無を調べる手順と、
既設のショートカットパスが無い場合にショートカットパスを設定する手順とを前記ＡＴＭ通信装置に実行させることを特徴とするプログラムを記録した記録媒体。
【発明の詳細な説明】
【０００１】
【発明の属する技術分野】
本発明は、ＡＴＭ網におけるＩＰ通信技術に関し、特に、重要通信のためのＡＴＭショートカットパスを確保するためのＩＰ通信方法、ＡＴＭ通信装置、及びＡＴＭ通信装置を制御するプログラムを記録した記録媒体に関する。
【０００２】
【従来の技術】
図９は、従来の技術におけるＡＴＭ網１を示す図であり、ＡＴＭ網１上ではＡＴＭのショートカットパスを利用したＩＰ通信が可能である。ＡＴＭ網１はＡＴＭ通信装置３〜１１、ＡＴＭのショートカットパスを実現させるためのサーバ１３、１５、及びＡＴＭ通信装置に収容された端末４等を有している。この例では、サーバはＭＰＯＡ（Ｍｕｌｔｉ−Ｐｒｏｔｏｃｏｌ  ｏｖｅｒ  ＡＴＭ  ）サーバ機能を有するルータであり、ＡＴＭ通信装置３〜１１はＭＰＯＡのクライアント機能を有する。また、ＡＴＭ網１上にはサーバ１３が属する論理ＩＰサブネット１７及びサーバ１５が属する論理ＩＰサブネット１９が形成されている。
【０００３】
従来の技術によるＭＰＯＡではクライアントに相当するＡＴＭ通信装置からの通信要求は、ＡＴＭ通信装置間で既に設定されたＡＴＭショートカットパスを経由して行うか、既設のＡＴＭショートカットパスが無い場合には、ＩＰアドレスからＡＴＭアドレスヘのアドレス解決後に、新規にＡＴＭショートカットパスを設定することにより、以降の通信を成立させるものである。
【０００４】
しかし、一般にＡＴＭショートカットパスの設定にあたっては、該当宛先ＩＰアドレスに関するフロー解析の結果でＩＰパケット数等の閾値を超えた通信が対象となり、閾値内の通信、及びＩＰアドレスからＡＴＭアドレス未解決の場合には受信フレームは予め定められているデフォルトルートヘフォワーディングされることとなる。すなわち、図９の破線２１〜３１のように、ＩＰフレームが、ルータであるサーバ１３、１５を介してブロードキャストされることとなる。この場合、例えば、ＡＴＭ通信装置７からＡＴＭ通信装置１１への通信は、ＡＴＭ通信装置７−サーバ１３−サーバ１５−ＡＴＭ通信装置１１の経路で行われる。
【０００５】
【発明が解決しようとする課題】
しかしながら、上述した従来の技術によると、重要通信かそれ以外の通信かの区別なく、ＡＴＭ通信の要求があればＡＴＭショートカットパスを設定しようとするため、ＡＴＭ通信装置間で多数のＡＴＭショートカットパスが発生しやすく、その後にＡＴＭ通信要求があった場合には、それが重要通信であってもＡＴＭショートカットパスが十分に確保できず、品質が保証されないという問題点があった。
【０００６】
すなわち、ＡＴＭショートカットパスが設定できず、デフォルトルートでの通信となった場合には、その通信はＡＴＭのパスとして扱われず、ＡＴＭショートカットパスのもつ品買保証（ＣＢＲ、ＶＢＲ、ＡＢＲ等）のメリットを享受できなくなってしまうことになる。
本発明は、上記の点に鑑みてなされたものであり、ＡＴＭ網におけるＩＰ通信に関して、ＡＴＭショートカットパスの設定範囲を閉域化することで、重要通信のＡＴＭショートカットパスの設定を優先して行うことを可能とすることにより、重要通信の通信品質を確保できるＩＰ通信方法、ＡＴＭ通信装置、及びプログラムを記録した記録媒体を提供することを目的とする。
【０００７】
【課題を解決するための手段】
上記の目的を達成するために本発明は以下のように構成される。なお、ショートカットパスとは、ＡＴＭ網上でＩＰパケット通信を行なう際に、ルータ等を介さずダイレクトにＡＴＭパス上でＩＰパケット通信を行なう場合の、そのＡＴＭパスのことである。
【０００８】
本発明はＡＴＭ網においてＩＰ通信を行なう方法であって、あるＩＰ通信の要求に対して該ＩＰ通信が所定の条件を満たすか否かを調べるステップと、該条件を満たす場合にショートカットパスによる通信を行なうステップとを有する。
本発明によれば、ＩＰ通信が所定の条件を満たすか否かを調べてからショートカットパスによる通信を行なうこととしたため、ショートカットパスの設定がその条件に合致したものに限定されるので、重要通信のショートカットパスのみを設定することが可能となり、重要通信の通信品質を確保できるようになる。
【０００９】
また本発明の方法は、あるＩＰ通信の要求に対し、該ＩＰ通信のための既設のショートカットパスの有無を調べるステップと、既設のショートカットパスが無い場合、該ＩＰ通信の発アドレス若しくは着アドレス又はその両方が所定の条件を満たす場合にショートカットパスを設定するステップとを有するように構成することもできる。
【００１０】
本発明によれば、まず既設のショートカットパスを調べるため、そこでショートカットパスが見つかれば、新たにショートカットパスを設定する必要がない。更に本発明の方法は次のように構成することもできる。すなわち、その方法は、あるＩＰ通信の要求に対し、該ＩＰ通信の発アドレス若しくは着アドレス又はその両方が所定の条件を満たすか否かを調べるステップと、該条件を満たす場合に該ＩＰ通信のための既設のショートカットパスの有無を調べるステップと、既設のショートカットパスが無い場合にショートカットパスを設定するステップとを有する。
【００１１】
本発明によれば、まず、ＩＰ通信の発アドレス若しくは着アドレス又はその両方の条件を調べることとしたため、既設のショートカットパスがあったとしても、その条件が満たされなければ、そのショートカットパスは使用されない。これは、例えば、あるショートカットパスの設定後に条件が変更された場合に有効であり、その変更された条件の下で正確にショートカットパスを設定することが可能となる。
【００１２】
上記の構成において、前記所定の条件は前記発アドレス若しくは着アドレス又はその両方が所定のテーブルの値と一致することとしてよい。
本発明によれば、テーブルに条件を設定でき、条件の管理や変更が容易となる。
上記目的を達成するために、本発明は次のようにしてもよい。
【００１３】
本発明は、ＡＴＭ網においてショートカットパスによるＩＰ通信を行なうことが可能なＡＴＭ通信装置であって、あるＩＰ通信の要求に対して該ＩＰ通信が所定の条件を満たすか否かを調べる手段と、該条件を満たす場合にはショートカットパスによる通信を行なう手段とを有する。
また、本発明のＡＴＭ通信装置は、ショートカットパスを設定すべき通信を示す値を保持するテーブルと、あるＩＰ通信の要求に対して該ＩＰ通信の発アドレス若しくは着アドレス又はその両方が該テーブルに保持された値と一致するか否かを調べる手段と、一致する場合にはショートカットパスによる通信を行なう手段とを有するよう構成することも可能である。
【００１４】
上記の発明によっても、前述した効果が得られる。
また、本発明のＡＴＭ通信装置は、上記構成において、前記テーブルに保持された前記値の操作を受けるためのインタフェースを有することとしてもよい。
本発明によれば、テーブルの管理及び変更等を外部から行うことが可能となり、操作性が向上する。
【００１５】
上記目的を達成するために本発明は次のようにすることも可能である。
本発明は、ＡＴＭ網においてショートカットパスによるＩＰ通信を行なうことが可能なＡＴＭ通信装置を制御するプログラムを記録した記録媒体であって、あるＩＰ通信の要求に対して該ＩＰ通信が所定の条件を満たすか否かを調べる手順と、該条件を満たす場合にショートカットパスによる通信を行なう手順とを前記ＡＴＭ通信装置に実行させるプログラムを記録した記録媒体である。
【００１６】
また、本発明の記録媒体は、あるＩＰ通信の要求に対して該ＩＰ通信のための既設のショートカットパスの有無を調べる手順と、既設のショートカットパスが無い場合、該ＩＰ通信の発アドレス若しくは着アドレス又はその両方が所定の条件を満たす場合にショートカットパスを設定する手順とを前記ＡＴＭ通信装置に実行させるプログラムを記録した記録媒体であってもよい。
【００１７】
更に、あるＩＰ通信の要求に対して該ＩＰ通信の発アドレス若しくは着アドレス又はその両方が所定の条件を満たすか否かを調べる手順と、該条件を満たす場合に該ＩＰ通信のための既設のショートカットパスの有無を調べる手順と、既設のショートカットパスが無い場合にショートカットパスを設定する手順とを前記ＡＴＭ通信装置に実行させるプログラムを記録した記録媒体であってもよい。
【００１８】
上記発明によれば、前述した効果と同様の効果が得られる。
上述したとおり、本発明によれば、ＡＴＭ網におけるクライアント通信要求に対して、ＡＴＭショートカットパス設定の利用対象ＩＰ端末を条件により限定し、条件に合致しない通信は、既設のデフォルトルーティングによる通信とし、条件に合致する通信をＡＴＭショートカットパスの設定対象として処理する。従って、条件を重要通信とすることにより、重要通信のショートカットパスによる閉域接続が可能となり、通信品質を確保することが可能となる。
【００１９】
【発明の実施の形態】
図１は本発明の実施の形態におけるＡＴＭ通信装置３０の構成を示すブロック図である。同図に示すように、ＡＴＭ通信装置３０はＩＰフレーム受信部３２、パス切り分け処理部３４、ショートカットパス参照テーブル３６、ＩＰフォワーディング処理部３８、ＡＴＭショートカット処理部４０を有している。ＡＴＭ通信装置３０の動作の概要は次の通りである。
【００２０】
ＩＰフレーム受信部３２がＩＰデータを受信すると、そのＩＰデータをパス切り分け処理部３４に転送し、パス切り分け処理部３４ではショートカットパス管理テーブル３６を参照してそのＩＰデータの通信がショートカットパスを設定するかどうかの条件を満たすかどうかを調べ、ショートカットパスを設定すべき場合はＡＴＭショートカットパス処理部４０にて他のＡＴＭ通信装置の間にＡＴＭのダイレクトコネクションを設定してＡＴＭショートカットパスによる通信を行なう。ショートカットパスを設定すべきで無い場合には、ＩＰフォワーディング処理部３８にてデフォルトルートでＩＰデータの通信を行なう。
【００２１】
図２は本発明のＡＴＭ通信装置４４〜５２を使用したＡＴＭ網４２の構成図である。ＡＴＭ網４２上では重要通信のＡＴＭショートカットパス通信を確保したＩＰ通信が可能となる。
図３は、ＡＴＭ網４２におけるＡＴＭ通信装置の動作を示すフローチャートである。次に、本フローチャートを使用してこれらのＡＴＭ通信装置の動作を詳細に説明する。なお、あるＩＰ通信の発側と着側の両方のＡＴＭ通信装置がショートカットパス設定のためにこのフローチャートに従った動作を行う。
【００２２】
ＡＴＭ網４２のＡＴＭ通信装置において、ＩＰ通信を開始する場合、ステップ１としてＩＰ通信要求を受信すると、ステップ２として発着間ＡＴＭ通信装置間に既にＡＴＭショートカットパスが設定されているかどうかを調べ、設定されていれば、ステップ３として該当ショートカットパスを使用して通信を行なう。ＡＴＭショートカットパスが存在しない場合には、ＡＴＭショートカットパスの設定契機となり、まずステップ４として受信したＩＰフレームから発ＩＰアドレスを取り出し（ここではａとする）、更に、受信したＩＰフレームから着ＩＰアドレスを取り出す（ここではｂとする）。次にアドレスａ、ｂを用いてショートカットパス管理テーブルを検索することによりショートカットパスを設定するかどうかの判断を行う。
【００２３】
ここで、図４にショートカットパス管理テーブルの例を示す。本実施の形態では、ショートカットパスの設定条件として、
（１）発ＩＰアドレスが一致
（２）着ＩＰアドレスが一致
（３）発着ＩＰアドレスの組合せが一致
のいずれかの条件を満足するＩＰ通信についてはショートカットパス通信を行うことと規定しているため、図４のショートカットパス管理テーブルにおいては、通信形態として「発着」、「発」、「着」の３種類を設け、それぞれに発許容ＩＰアドレスと着許容ＩＰアドレスを必要に応じて定めている。例えば、通信形態が「発」では許容ＩＰアドレスとして１９７．１０．２０．１００を定めている。
【００２４】
図３に戻り説明を続ける。ステップ５としてアドレスａ、ｂで、ショートカットパス管理テーブル内の発着ＩＰアドレスを検索する。ここで、一致すればステップ６としてショートカットパスの設定を行い、ショートカットパス通信を行なう。ＡＴＭショートカットパスの設定については、ＭＰＯＡ等の手段で相手ＡＴＭアドレスを解決し、ＡＴＭショートカットパスを設定するという既存手法に委ねる。
【００２５】
ステップ５で不一致の場合には、ステップ７としてアドレスａでショートカットパス管理テーブル内の発ＩＰアドレスを検索する。一致すれば、ショートカットパスを設定して、ショートカットパス通信を行ない、不一致であればステップ８に進む。
ステップ８において、アドレスｂでショートカットパス管理テーブル内の着ＩＰアドレスを検索し、一致すればショートカットパスを設定して、ショートカットパス通信を行なう。不一致であれば、ショートカットパス設定条件を満たさないこととなり、ステップ９でデフォルトルーティング処理を行う。すなわち、ステップ９ではデフォルトルートを経路選択し、受信フレームをフォワーディングする。
【００２６】
本発明のＡＴＭ通信装置におけるショートカットパス管理テーブルは運用管理サーバ等から操作可能であり、図５に、ＡＴＭ網４２に運用管理サーバ５４を備えた例を示す。
ＭＰＯＡ等によるＡＴＭショートカットパス通信を行なう場合、ＡＴＭショートカットパス管理テーブルの内容は、すべての通信クライアントにおいて、同じ内容になっていることが望ましい。そのため、ＡＴＭ通信装置のＡＴＭショートカットパス管理テーブルの情報を管理し、ＡＴＭ網内のショートカットパスを効率良く運用するために、運用管理サーバ５４からＡＴＭ通信装置のＡＴＭショートカットパス管理テーブルを操作するためのインタフェースがＡＴＭ通信装置に設けられている。そのようなインタフェースを備えたＡＴＭ通信装置４４〜５２のＡＴＭショートカットパス管理テーブルは、ＳＮＭＰ又はＴＥＬＮＥＴ等の制御パス５６〜６４を通して、運用管理サーバ５４から以下の情報操作を受けることが可能である。すなわち、
（１）許容ＩＰアドレスの追加（発・着・発着組合せ別の通信形態含む）
（２）許容ＩＰアドレスの削除
（３）許容ＩＰアドレス情報の照会
である。なお、運用管理サーバ５４と各ＡＴＭ通信装置４４〜５２間の制御パス５６〜６４は、一般的なＡＴＭ網管理網の接続形態で使用され得るものである。
【００２７】
図６は上記のインタフェースを含むＡＴＭ通信装置３０の構成を示すブロック図である。同図に示すように、図１で示した構成にショートカットパス操作処理部６６が付加された構成をとる。運用管理サーバからの操作データをショートカットパス操作処理部６６が受信し、その操作データに基いてショートカットパス管理テーブル３６を書き換える。
【００２８】
ここで、ショートカットパス管理テーブルが変更可能である場合、図３のステップ２に示したようなＩＰ通信要求時における既設ショートカットパスのチェックにおいて、既設に該当発ＩＰアドレスと着ＩＰアドレス間にショートカットパスが存在したとしても、新たなＩＰ通信要求時には、そのショートカットパスが設定条件に合致しない可能性がある。
【００２９】
設定条件に合致しないショートカットパスを使用しないためには、ＩＰ通信要求受信時に、既設ショートカットパスのチェックを行わずに、まず、ショートカットパス管理テーブルを調べるようにすることが有効である。これにより、通信中でもショートカットパス管理テーブルの更新を行うことが可能となり、更新時点から以降のＩＰ通信要求について、ショートカットパス管理テーブルの変更イメージが反映できるようになる。
【００３０】
また、ショートカットパス管理テーブルが変更可能である場合には、発側ＡＴＭ通信装置と着側ＡＴＭ通信装置のショートカットパス管理テーブルが異なる可能性もあり、そのような場合には、一方のＡＴＭ通信装置で条件に合致したとしても、ショートカットパスの設定は行わないようにすることが可能である。
このようにすることによって、発側と着側とでショートカットパス管理テーブルの内容が一致していない状態では要求されたＩＰ通信は許容されず、ＩＰ通信の閉域性が確保される。
【００３１】
図７に上記の場合のＡＴＭ通信処理装置の動作を示すフローチャートを示す。図７を用いて動作を説明する。
ＩＰ通信を開始する場合、ステップ１０としてＩＰ通信要求を受信すると、既設ショートカットパスがあるかどうかにかかわらず、まずステップ１１として受信したＩＰフレームから発ＩＰアドレスを取り出し（ここではａとする）、更に、受信したＩＰフレームから着ＩＰアドレスを取り出す（ここではｂとする）。次にアドレスａ、ｂを用いてショートカットパス管理テーブルを検索することによりショートカットパス設定条件に合致するかどうかの判断を行う。
【００３２】
ステップ１２としてアドレスａ、ｂで、ショートカットパス管理テーブル内の発着ＩＰアドレスを検索する。ここで一致すれば、ステップ１３として既設ショートカットパスの有無のチェックを行い、既設ショートカットパスが無ければ、ステップ１４でショートカットパスの設定を行い、ステップ１５においてショートカットパス通信を行なう。ステップ１３で既設ショートカットパスがあればそのままショートカットパス通信を行なう。
【００３３】
ステップ１２でアドレス不一致の場合には、ステップ１６としてアドレスａでショートカットパス管理テーブル内の発ＩＰアドレスを検索する。一致すれば、前述のステップ１３〜ステップ１５の処理を行うことによりショートカットパス通信を行ない、不一致であればステップ１７に進む。
ステップ１７において、アドレスｂでショートカットパス管理テーブル内の着ＩＰアドレスを検索し、一致すればステップ１３〜ステップ１５の処理を行うことによりショートカットパス通信を行なう。不一致であれば、ショートカットパス設定条件を満たさなかったこととなり、ステップ１８でデフォルトルーティング処理を行う。すなわち、デフォルトルートを経路選択し、受信フレームをフォワーディングする。
【００３４】
本発明のＡＴＭ通信装置は図１又は図６に示した構成に限定されない。例えば、上述した処理の手順を備えたソフトウェア（プログラム）又はハードウェアを有するＡＴＭ交換機は本発明のＡＴＭ通信装置として使用できる。
図８はそのようなＡＴＭ交換機６８の構成を示すブロック図である。本ＡＴＭ交換機６８は処理を実行するＣＰＵ（中央処理演算プロセッサ）７０、処理の手順を有するプログラムが搭載されるＭＭ（メインメモリ）７２、回線インタフェースポートを収容する回線制御部７４、７６を有する。また、図示はしていないが、ソフトウェアやデータを格納するハードディスクを有する。次に動作を説明する。以下では、上述の処理がＭＭ７２に格納されたプログラムにより実行される場合を示す。
【００３５】
上述の処理を行うプログラムはＭＭ７２に格納されており、ＣＰＵ７０に読み出されて実行される。ＡＴＭ交換機６８に入力されたＩＰフレームは回線制御部内バッファに蓄積され、蓄積されたそのＩＰフレームからＩＰアドレスが取り出され、ＭＭ７２に搭載されたショートカットパス管理テーブルを参照してパスの切分け処理を行い、デフォルトルーティング処理か又はＡＴＭショートカットパスの処理かを決定する。その後、ＡＴＭ交換機能として一般に具備されるフレーム送信機能により回線制御部からＩＰフレームが送信される。
【００３６】
また、運用管理サーバからのＩＰショートカットパス管理テーブルの操作処理も同様にＭＭ７２に格納されたプログラムにより実現され、運用管理サーバからの操作信号により、ショートカットパス管理テーブルの変更処理が実行される。ハードウェアで実行する場合には、例えば、本発明の処理の手順を備えたプロセッサが上記のＣＰＵに換わって上記と同様な処理を行う。
【００３７】
本発明のプログラムを記録した記録媒体は図８に示すＡＴＭ交換機６８のメモリ７２もしくはハードディスク又はその両方に相当するものである。その記録媒体には図３及び図７のフローに従いＣＰＵ７０を動作させるためのプログラムが格納されている。
本発明の記録媒体としては電子メモリ、ハードディスク、フロッピーディスク、ＣＤ−ＲＯＭ等も使用可能であり、そのような記録媒体に格納された本発明に関するプログラムを既存のＡＴＭ交換機のメモリ部又はハードディスクに格納することにより、既存の交換機を本発明のＡＴＭ通信装置として使用することができる。
【００３８】
なお、本発明は上記実施の形態に限定されず、特許請求の範囲内で種々変更・応用が可能である。例えば、本発明のＡＴＭ通信装置は、ＡＴＭのショートカットパス通信を実現できる装置であれば上記で説明した装置以外の装置でもよい。また、上記の記録媒体は、ＡＴＭ交換機以外のＡＴＭ通信装置のプログラムを格納することにより、そのＡＴＭ通信装置のためのプログラムを記録した記録媒体として使用することが可能である。
【００３９】
【発明の効果】
上述した通り、本発明によれば、ＡＴＭ網におけるＩＰ通信要求に対してＡＴＭショートカットパス設定の利用対象ＩＰ端末を特定の条件により限定し、条件に合致しない通信は既設のデフォルトルーティングによる通信とし、条件に合致するＩＰアドレスの通信のみをＡＴＭショートカットパスの設定対象としたので、ＡＴＭ網におけるショートカットパス設定を閉域化することが可能となる。
【００４０】
従って、重要な通信のみをショートカットパス設定の対象とするように条件を設定しておくことにより、重要なＩＰ通信に対してのみショートカットパスを設定することが可能となり、従来のように重要でない通信によりショートカットパスが設定できなくなる問題点は解消する。
すなわち、本発明によれば、重要通信に対してＡＴＭ網が持つ品質の高い通信を提供することができるようになる。
【図面の簡単な説明】
【図１】本発明における実施の形態のＡＴＭ通信装置の構成を示すブロック図である。
【図２】本発明における実施の形態のＡＴＭ通信装置を利用したＡＴＭ網を示す図である。
【図３】本発明における実施の形態のＡＴＭ通信装置の動作を示すフローチャートである。
【図４】ショートカットパス管理テーブルの例を示す図である。
【図５】ショートカットパス管理テーブルの操作を行う運用管理サーバが設けられたＡＴＭ網を示す図である。
【図６】ショートカットパス操作処理部を有するＡＴＭ通信装置の構成を示す図である。
【図７】最初にショートカットパス管理テーブルの検索を行う場合のＡＴＭ通信装置の動作を示すフローチャートである。
【図８】本発明の実施の形態のＡＴＭ交換機の構成を示すブロック図である。
【図９】従来の技術におけるＡＴＭ網を示す図である。
【符号の説明】
１、４２  ＡＴＭ網
３、５、７、９、１１、３０、４４、４６、４８、５０、５２  ＡＴＭ通信装置
４  端末
１３、１５  サーバ（ルータ）
１７、１９  論理ＩＰサブネット
２１、２３、２５、２７、２９、３１  デフォルトルーティング経路
３２  ＩＰフレーム受信部
３４  パス切り分け処理部
３６  ショートカットパス管理テーブル
３８  ＩＰフォワーディング処理部
４０  ＡＴＭショートカット処理部
５４  運用管理サーバ
５６、５８、６０、６２、６４  ショートカットパス管理テーブルの管理用パス
６６  ショートカットパス操作処理部
６８  ＡＴＭ交換機
７０  ＣＰＵ
７２  ＭＭ
７４、７６  回線制御部
【図１】
0003592570.tif 000002
【図２】
0003592570.tif 000003
【図３】
0003592570.tif 000004
【図４】
0003592570.tif 000005
【図５】
0003592570.tif 000006
【図６】
0003592570.tif 000007
【図７】
0003592570.tif 000008
【図８】
0003592570.tif 000009
【図９】
0003592570.tif 000010